(57)【要約】      （修正有）【課題】美感に優れたアクセサリーとして、ブレスレット、ネックレス等に使用するか、或いは儀式の際に数珠等として使用可能な環状装身具を提供する。【解決手段】環状装身具１は、芯材３と、木材より形成され芯材３を通すために孔が形成された複数の球状体２を備える。球状体２のうちの少なくとも一つは、表面に少なくとも一つの節を備えた節付き球状体２ａ、２ｂである。節付き球状体２ａ、２ｂの節は、孔が形成された方向を球状体孔方向とし、節付き球状体２ａ、２ｂを球状体孔方向に沿って球状体孔方向と直交する方向に三等分したときに、節付き球状体２ａ、２ｂの中心を含む領域である球状体中心領域に備えられる。球状体２は、芯材３によって環状に連結される。【選択図】図１
0003215795.tif 000002
【実用新案登録請求の範囲】
【請求項１】
芯材と、
木材より形成され前記芯材を通すために孔が形成された複数の球状体を備え、
前記球状体のうちの少なくとも一つは、前記球状体の表面に少なくとも一つの節を備えた節付き球状体であり、
前記節付き球状体の節は、前記孔が形成された方向を球状体孔方向とし、前記球状体を前記球状体孔方向に沿って前記球状体孔方向と直交する方向に三等分したときに、前記球状体の中心を含む領域である球状体中心領域に備えられ、
前記球状体は、前記芯材によって環状に連結されたことを特徴とする環状装身具。
【請求項２】
前記節付き球状体は、前記球状体孔方向に交差する方向に木目を備えることを特徴とする請求項１に記載の環状装身具。
【請求項３】
前記節付き球状体は、前記球状体孔方向に沿う方向に木目を備えることを特徴とする請求項１に記載の環状装身具。
【請求項４】
前記節付き球状体は、前記球状体中心領域に複数の節を備え、前記節は前記節付き球状体の中心を挟んで互いに対向する位置に備えられたことを特徴とする請求項１から３のいずれかに記載の環状装身具。
【請求項５】
前記球状体は全て前記節付き球状体であり、前記球状体の表面は光沢を有することを特徴とする請求項１から４のいずれかに記載の環状装身具。
【請求項６】
前記球状体と、複数の円筒状体を備え、
前記円筒状体は、円筒形状が伸びる方向に沿って前記芯材を通すための孔を備え、
前記円筒状体のうちの少なくとも一つは、前記円筒状体の表面に少なくとも一つの節を備えた節付き円筒状体であり、
前記節付き円筒状体の節は、前記孔が形成された方向を円筒状体孔方向とし、前記円筒状体を前記円筒状体孔方向に沿って前記円筒状体孔方向と直交する方向に三等分したときに、前記円筒状体の中心を含む領域である円筒状体中心領域に備えられ、
前記円筒状体と前記円筒状体との間には前記球状体が備えられ、
前記円筒状体と前記球状体は、前記芯材によって環状に連結されたことを特徴とする請求項１から５のいずれかに記載の環状装身具。
【考案の詳細な説明】
【技術分野】
【０００１】
本考案は、アクセサリーとしてブレスレット、ネックレス、数珠等として使用する環状装身具に関するものである。
【背景技術】
【０００２】
従来より、ブレスレット、ネックレス、数珠等に使用するリング状の装身具が提案されている。例えば、特許文献１には、複数の珠を数珠繋ぎにして形成し、少なくとも１個の珠は結晶構造の炭素焼成体によってリング状としたものが記載されている。
【先行技術文献】
【特許文献】
【０００３】
【特許文献１】特開２００８−２００４９１号公報
【考案の概要】
【考案が解決しようとする課題】
【０００４】
しかしながら、結晶構造の炭素焼成体によってリング形状が形成された場合、特に装飾が施されない複数の珠が数珠繋ぎにされているのみで、装身具としての美感を備えたものではないという問題があった。
【０００５】
そこで、本考案が解決しようとする課題は、美感に優れたアクセサリーであって、ブレスレット、ネックレス、数珠等として使用可能な環状装身具を提供することにある。
【課題を解決するための手段】
【０００６】
本考案に係る環状装身具は、芯材と、木材より形成され前記芯材を通すために孔が形成された複数の球状体を備え、前記球状体のうちの少なくとも一つは、前記球状体の表面に少なくとも一つの節を備えた節付き球状体であり、前記節付き球状体の節は、前記孔が形成された方向を球状体孔方向とし、前記球状体を前記球状体孔方向に沿って前記球状体孔方向と直交する方向に三等分したときに、前記球状体の中心を含む領域である球状体中心領域に備えられ、前記球状体は、前記芯材によって環状に連結されたことを特徴とする。
【０００７】
また、前記環状装身具の前記節付き球状体は、前記球状体孔方向に交差する方向に木目を備えてもよい。あるいは、前記節付き球状体は、前記球状体孔方向に沿う方向に木目を備えてもよい。
【０００８】
また、前記環状装身具の前記節付き球状体は、前記球状体中心領域に複数の節を備え、前記節は前記節付き球状体の中心を挟んで互いに対向する位置に備えても良い。
【０００９】
また、前記環状装身具の前記球状体は全て前記節付き球状体であり、前記球状体の表面は光沢を有してもよい。
【００１０】
また、前記環状装身具は、前記球状体と、複数の円筒状体を備え、前記円筒状体は、円筒形状が伸びる方向に沿って前記芯材を通すための孔を備え、前記円筒状体のうちの少なくとも一つは、前記円筒状体の表面に少なくとも一つの節を備えた節付き円筒状体であり、前記節付き円筒状体の節は、前記孔が形成された方向を円筒状体孔方向とし、前記円筒状体を前記円筒状体孔方向に沿って前記円筒状体孔方向と直交する方向に三等分したときに、前記円筒状体の中心を含む領域である円筒状体中心領域に備えられ、前記円筒状体と前記円筒状体との間には前記球状体が備えられ、前記円筒状体と前記球状体は、前記芯材によって環状に連結されてもよい。
【考案の効果】
【００１１】
本考案の環状装身具は、木材からなる球状体のうちの少なくとも一つは、表面に少なくとも一つの節を備えた節付き球状体であり、節は球状体中心領域に備えられる。よって、木材の特徴である節が目立ちやすい部分に備えられ、木材の素材が有する美感を発揮した環状装身具を提供することができる。
【図面の簡単な説明】
【００１２】
【図１】第一の実施形態に係る環状装身具１の正面図である。
【図２】第一の実施形態に係る環状装身具１を示した図であって、（ａ）は図１の右側面図であり、（ｂ）は（ａ）における断面Ｂ−Ｂである。
【図３】節付き球状体２ａを示した図であり、（ａ）は図１におけるＡ部詳細図であり、（ｂ）は節付き球状体２ａの球状体中心２０に対して対向する側である（ａ）の裏面図であって図２におけるＣ視図である。
【図４】節付き球状体２ｂを示した図であり、（ａ）は図１におけるＡ部詳細図であり、（ｂ）は節付き球状体２ｂの球状体中心２０に対して対向する側である（ａ）の裏面図であって図２におけるＣ視図である。
【図５】第二の実施形態に係る環状装身具１０を示した図であって、（ａ）は正面図であり、（ｂ）はＥ部を拡大した断面図である。
【図６】節付き円筒状体８ａを示した図であり、（ａ）は図５（ａ）におけるＥ部詳細図であり、（ｂ）は節付き円筒状体８ａの孔３０を挟んで対向する側である（ａ）の裏面図である。
【考案を実施するための形態】
【００１３】
以下、本考案の態様に係る環状装身具１について、図面を参照して説明する。図１及び図２を参照し、第一の実施形態に係る環状装身具１の概要について説明する。図１は、第一の実施形態に係る環状装身具１の正面図である。図２は、第一の実施形態に係る環状装身具１を示した図であって、（ａ）は図１の右側面図であり、（ｂ）は（ａ）における断面Ｂ−Ｂである。環状装身具１は、芯材３と、木材より形成され芯材３を通すために孔５が形成された複数の球状体２からなる。球状体２（節付き球状体２ａ、２ｂ）は、芯材３によって環状に連結される。
【００１４】
次に、図１から図４を参照し、第一の実施形態に係る環状装身具１を詳細に説明する。図２（ｂ）に示すように、球状体２は孔５が直線状に空けられている。図１に示すように、芯材３は孔５に通されて、結び目４が作られる。環状装身具１がブレスレットの場合、球状体２は、通常１２個から３０個連結されるが、この数に限定されない。図１及び図２に示す球状体２は、全てが節付き球状体２ａ、２ｂであってもよいし、一部が節付き球状体２ａ、２ｂであってもよい。少なくとも一つの節付き球状体２ａ、２ｂが含まれる。芯材３の材質は、環状装身具１の用途に応じて適宜選択される。例えば、環状装身具１がブレスレットの場合、芯材３は例として伸縮性を有するシリコンゴム等のゴムが用いられる。環状装身具１がネックレス或いは数珠の場合、芯材３は例として伸縮性を有さない化学繊維によって形成された紐状の部材が使用される。
【００１５】
図３及び図４に示すように、球状体２のうちの少なくとも一つは、表面に少なくとも一つの節６を備えた節付き球状体２ａ、２ｂである。球状体２（節付き球状体２ａ、２ｂ）において、孔５が形成された方向を球状体孔方向とする。球状体孔方向に沿って直径Ｄの節付き球状体２ａ、２ｂを球状体孔方向と直交する方向に三等分したときに、節６は節付き球状体２ａ、２ｂの中心を含むＤ／３の領域である球状体中心領域１５に備えられる。
【００１６】
図３は、節付き球状体２ａを示した図である。図３（ａ）は図１におけるＡ部詳細図であり、図３（ｂ）は節付き球状体２ａの球状体中心２０に対して対向する側である図３（ａ）の裏面図であって図２のＣ視図である。例として、節付き球状体２ａは２カ所に節６を備える。図３（ａ）と図３（ｂ）は節付き球状体２ａの球状体中心２０を挟んで対向する関係にある。節付き球状体２ａは芯材３に対して回転するが、２カ所の節６が対向する位置に備えられているので、いずれかの節６を目視できる可能性が高い。なお、節６は２カ所以上にあってもよい。複数の節６は、球状体２の球状体孔方向と直交する円周に沿った方向において必ずしも正確に１８０度離れた位置に有る必要は無く、例えば複数の節６と節６との位置が９０度から２７０度離れた関係であってもよい。
【００１７】
図３は、節付き球状体２ａにおける球状体孔方向に交差する方向に木目７を備えた例を示す。木目７は、節６を中心にして巻き込むように存在する。木目７の方向は、節付き球状体２ａに形成された孔５の方向である球状体孔方向と交差する方向である。環状装身具１において、節付き球状体２ａの木目７は一つ一つ独立して目視できる可能性がある。
【００１８】
図４は、節付き球状体２ｂを示した図であり、図４（ａ）は図１におけるＡ部詳細図であり、図４（ｂ）は節付き球状体２ｂの球状体中心２０に対して対向する側である図４（ａ）の裏面図であって図２のＣ視図である。例として、節付き球状体２ｂは２カ所に節６を備える。図３（ａ）及び図３（ｂ）と同様に、図４（ａ）及び図４（ｂ）は節付き球状体２ｂの球状体中心２０を挟んで対向する関係にある。節付き球状体２ｂは芯材３に対して回転するが、２カ所の節６が対向する位置に備えられているので、いずれかの節６を目視できる可能性が高い。なお、節６は２カ所以上にあってもよい。複数の節６は、球状体２の球状体孔方向と直交する円周に沿った方向において必ずしも正確に１８０度離れた位置に有る必要は無く、例えば複数の節６と節６との位置が９０度から２７０度離れた関係であってもよい。
【００１９】
図４は、節付き球状体２ｂにおける球状体孔方向に沿う方向に木目７を備えた例を示す。木目７は、節６を中心にして巻き込むように存在する。環状装身具１において節付き球状体２ｂは、木目７が球状体孔方向に沿って流れるように目視できる可能性がある。
【００２０】
次に、第一の実施形態に係る環状装身具１の製造方法を説明する。球状体２（２ａ、２ｂ）は、木材を加工して形成される。本実施形態における環状装身具１においては、木目７が目立ちやすく油分が多く含まれる木材が適している。使用される木材の例としては、楠、栃、銀杏、キルティッドメープル、クラロウォールナット、黒檀、紫檀、縞黒檀、パープルハート、レースウッド、ローズウッドが挙げられる。その他木材の一つとして、油分が多く含まれる香木を使用しても良い。例えば、白檀、奇楠香、黄檀等を使用してもよい。なお、これら以外の木材を使用しても良い。油分が多く含まれる木材は、繰り返し磨きを行うことによって光沢が出る。ここで光沢とは、目視で艶が確認できるレベルから鏡面仕上げのように反射するようなレベルまでの幅広いものを含む。
【００２１】
球状体２（２ａ、２ｂ）は、木材を削り出すことで形成する。削り出した後、磨き工程を繰り返すことで光沢を出す。節付き球状体２ａ、２ｂを削り出す木材は、節６がある部分を選んで用い、表面に節６ができるように加工を行う。芯材３を通す孔５の加工は、節６の位置と木目７の流れ方向を考慮しながら行う。環状装身具１は、孔５が加工された方向に沿って球状体２が連結されて環状に形成され、この方向が球状体孔方向である。孔５は、球状体２を球状体孔方向に沿って球状体孔方向と直交する方向に三等分したとき、節６が球状体２の球状体中心２０を含む球状体中心領域１５に位置するように加工される。節付き球状体２ａを製造する際には、孔５は木目７が球状体孔方向と交差する方向に流れるように加工される。節付き球状体２ｂを製造する際には、孔５は木目７が球状体孔方向に沿う方向に流れるように加工される。
【００２２】
孔５が加工された複数の球状体２に芯材３が通され、図１に示すように結び目４が作られる。図１は一例として球状体２の数が１８個であるが、用途や目的に応じて変更が可能である。環状装身具１がブレスレット用に製造されるとき、球状体２は例として１２個から３０個使用される。球状体２の直径は例として６ｍｍから３０ｍｍに加工される。環状装身具１が数珠又はネックレス用に製造される場合は、球状体２の数と直径がそれぞれ適した状態に調整して製造される。例えば、環状装身具１が数珠用に製造されるときは、例として球状体２の個数は１２個から１０８個、直径は６ｍｍから３０ｍｍに加工される。その他、使用用途及び目的に応じて、球状体２の個数及び直径は任意に選択可能である。
【００２３】
環状装身具１を製造する際、使用目的、価格等により球状体２のうち節付き球状体２ａ或いは節付き球状体２ｂをどのように配置するかを選択できる。例えば、複数の球状体２のうち節付き球状体２ａ或いは節付き球状体２ｂを１個のみ含めることができる。また、節付き球状体２ａを複数個含めることができ、或いは節付き球状体２ｂを複数個含めることができる。或いは、節付き球状体２ａと節付き球状体２ｂを１個或いは複数個混在させることができる。さらに、全ての球状体２を節付き球状体２ａのみにするか或いは節付き球状体２ｂのみにすることもできる。環状装身具１は、節付き球状体２ａと節付き球状体２ｂ、さらに節６を含まない球状体２の中から自由に選択して形成することが可能である。
【００２４】
次に、図５及び図６を参照して第二の実施形態に係る環状装身具１０を説明する。なお、第一の実施形態に係る環状装身具１と同様の構成については同様の符号を付すか、或いは符号を付さず説明を省略する。
【００２５】
図５は、第二の実施形態に係る環状装身具１０を示した図であって、（ａ）は正面図であり、（ｂ）はＥ部を拡大した断面図である。環状装身具１０は、芯材３と、芯材３を通すための孔５が形成された複数の球状体２と、孔３０が形成された複数の円筒状体８を備える。球状体２は環状装身具１と同様であり、節付き球状体２ａ、２ｂが含まれる。円筒状体８は、球状体２と同様の木材が使用される。
【００２６】
図６は、節付き円筒状体８ａを示した図であり、（ａ）は図５（ａ）におけるＥ部詳細図であり、（ｂ）は節付き円筒状体８ａの孔３０を挟んで対向する側である（ａ）の裏面図である。例として、節付き円筒状体８ａは２カ所に節６を備える。図６（ａ）、（ｂ）に示すように、円筒状体８は、円筒状体孔方向に沿って長さＭを三等分したときに円筒状体孔方向の中心を含むＭ／３の長さの円筒状体中心領域３５に節６を有する節付き円筒状体８ａを示す。節付き円筒状体８ａは節付き球状体２ａ、２ｂと同様、孔３０を挟んで対向する位置に節６を備える。なお、節６は２カ所以上にあってもよい。複数の節６は、節付き円筒状体８ａの円筒状体孔方向と直交する円周方向に沿って必ずしも正確に１８０度離れた位置に有る必要は無く、例えば複数の節６と節６との位置が９０度から２７０度離れた関係であってもよい。
【００２７】
図６は、節付き円筒状体８ａにおける円筒状体孔方向に交差する方向に木目７を備えた例を示す。木目７は、節６を中心にして巻き込むように存在する。木目７の方向は、節付き円筒状体８ａに形成された孔３０の方向である円筒状体孔方向と交差する方向であり、環状装身具１０において節付き円筒状体８ａの木目７が一つ一つ独立して目視できる。なお、図示しないが、節付き球状体２ｂと同様に木目７の方向が円筒状体孔方向に沿う方向であっても良い。
【００２８】
環状装身具１０の製造方法は、円筒状体８の材料である木材から円筒形状に加工される点を除けば環状装身具１と同様である。球状体２（２ａ、２ｂ）と円筒状体８（８ａ）が芯材３によって環状に連結されて結び目９が形成される。
【００２９】
以上説明した環状装身具１、１０は種々の効果を奏する。環状装身具１は、芯材３と、木材より形成され芯材３を通すために孔５が形成された複数の球状体２を備える。球状体２のうちの少なくとも一つは、球状体２の表面に少なくとも一つの節６を備えた節付き球状体２ａ、２ｂである。節付き球状体２ａ、２ｂの節６は、孔５が形成された方向を球状体孔方向とし、節付き球状体２ａ、２ｂを球状体孔方向に沿って球状体孔方向と直交する方向に三等分したときに、節付き球状体２ａ、２ｂの球状体中心２０を含む領域である球状体中心領域１５に備えられる。球状体２は、芯材３によって環状に連結される。
【００３０】
この場合、環状装身具１は球状体中心領域１５に節６が備えられるので、木材の特徴である節６が目視しやすく装身具としての美観に優れる。
【００３１】
また、環状装身具１の節付き球状体２ａは、球状体孔方向に交差する方向に木目７を備えてもよい。この場合、節付き球状体２ａが芯材３によって環状に形成されたとき、木材の特徴である木目７が個々の球状体２に独立して目立つ可能性がある。よって、装身具としての美観に優れる。
【００３２】
また、環状装身具１の節付き球状体２ｂは、球状体孔方向に沿う方向に木目７を備えてもよい。この場合、節付き球状体２ｂは、木材の特徴である木目７が球状体孔方向に沿って流れるような模様となる可能性がある。よって、装身具としての美観に優れる。
【００３３】
また、環状装身具１の節付き球状体２ａ、２ｂは、球状体中心領域１５に複数の節６を備え、節６は節付き球状体２ａ、２ｂの球状体中心２０を挟んで互いに対向する位置に備えられてもよい。この場合、節付き球状体２ａ、２ｂが芯材３に対して回転したとしても節６を目視できる可能性が高く、装身具としての美観に優れる。
【００３４】
また、環状装身具１の球状体２は全て節付き球状体２ａ、２ｂであり表面は光沢を有してもよい。この場合、環状装身具１は美感に優れ、高級感のある装身具として提供できる。
【００３５】
また、環状装身具１０は、球状体２（２ａ、２ｂ）と、複数の円筒状体８を備えてもよい。円筒状体８は、円筒形状が伸びる方向に沿って芯材３を通すための孔３０を備え、円筒状体８のうちの少なくとも一つは、円筒状体８の表面に少なくとも一つの節６を備えた節付き円筒状体８ａであってもよい。孔３０が形成された方向を円筒状体孔方向とし、節付き円筒状体８ａを円筒状体孔方向に沿って円筒状体孔方向と直交する方向に三等分したときに、節付き円筒状体８ａの節６は、節付き円筒状体８ａの中心を含む領域である円筒状体中心領域３５に備えられてもよい。円筒状体８と円筒状体８との間には球状体２（２ａ、２ｂ）が備えられ、円筒状体８と球状体２（２ａ、２ｂ）は、芯材３によって環状に連結されてもよい。
【００３６】
この場合、環状装身具１０は球状体２（２ａ、２ｂ）のみでなく円筒状体８を備えるので環状装身具１とは異なった美感を備える。円筒状体８のうちの少なくとも一つは、円筒状体８の表面に少なくとも一つの節６を備えた節付き円筒状体８ａなので、木材の特徴である節６によって環状装身具１０が美感を備える。さらには、節付き円筒状体８ａを含めた円筒状体８と円筒状体８との間に球状体２（２ａ、２ｂ）を備えるので、より優れた美感と高級感を備える。
【産業上の利用可能性】
【００３７】
本考案の環状装身具１、１０は、アクセサリーとしてブレスレット、ネックレス等に使用するか、或いは数珠等として使用できる。
【符号の説明】
【００３８】
１    環状装身具
２    球状体
２ａ    節付き球状体
２ｂ    節付き球状体
３    芯材
５    孔
６    節
７    木目
８    円筒状体
８ａ    節付き円筒状体
１０    環状装身具
１５    球状体中心領域
２０    球状体中心
３５    円筒状体中心領域
【図１】
0003215795.tif 000003
【図２】
0003215795.tif 000004
【図３】
0003215795.tif 000005
【図４】
0003215795.tif 000006
【図５】
0003215795.tif 000007
【図６】
0003215795.tif 000008